(57)【要約】【課題】  薄型小型化を維持して機能を異にする少なくとも２種類の接続端子部材が簡易な組立作業によって歩留りの向上を図ってハウジング体に精密に組み付けられる。【解決手段】  プラグ基体部７に形成した給電端子組付孔１６と信号端子組付孔１７とに端子識別部１８を設けるとともに、形状を異にした給電端子部材２３と信号端子部材２４にも端子識別部２５を形成し、上記端子識別部１８、２５が合致された場合に各端子組付孔に所定の端子部材が組み付けられるようにして誤挿入を防止する。【選択図】  図５
0003126066.tif 000002
【実用新案登録請求の範囲】
【請求項１】
絶縁樹脂材を素材として、略ブロック状のプラグ基体部の第１側面に薄形略矩形筒状のレセプタクル嵌合部が一体に突出形成され、前記第１側面と対向する第２側面にそれぞれ開口して前記プラグ基体部を貫通して前記レセプタクル嵌合部の内部空間に連通する多数の端子組付孔を長手方向に並んだ状態で形成したハウジング体と、
前記プラグ基体部の前記第２側面側の各開口から前記各端子組付孔内にそれぞれ嵌挿されて前記ハウジング体に組み付けられ、前記プラグ基体部の前記第２側面から突出される基端部が外部接続端子部を構成するとともに、前記レセプタクル嵌合部の前記内部空間内を挿通されてその開口部から突出される先端部がレセプタクル接続端子部を構成する、少なくとも２種類の第１接続端子部材と第２接続端子部材が混在する多数個の接続端子部材と、
金属薄板材を素材として、前記ハウジング体の前記レセプタクル嵌合部を略全域に亘り外装する全体薄形略矩形筒状に形成され、天井部に前記各接続端子部材の前記レセプタクル接続端子部を外方に臨ませる端子ガイド開口部が形成されたシールドケースとを備え、
前記ハウジング体の前記プラグ基体部に、前記各端子組付孔に対して前記第１接続端子部材と前記第２接続端子部材を選択して嵌挿させる接続端子識別部を形成したことを特徴とするレセプタクル型コネクタプラグ。
【請求項２】
前記プラグ基体部に形成した前記接続端子識別部が、前記第１接続端子部材を嵌挿する端子組付孔と前記第２接続端子部材を嵌挿する前記各端子組付孔とに対応して異なる形状とされた第１端子識別凹部と第２端子識別凹部とから構成され、
前記第１端子識別凹部に嵌合可能な第１端子識別凸部が形成された前記第１接続端子部材と、前記第２端子識別凹部に嵌合可能な第２端子識別凸部が形成された前記第２接続端子部材が、所定の端子組付孔に選択されて嵌挿されることを特徴とする請求項１記載のレセプタクル型コネクタプラグ。
【請求項３】
前記第１端子識別凹部と前記第２端子識別凹部が、前記各端子組付孔にそれぞれ対応する上方に位置して前記プラグ基体部の前記第２側面にそれぞれ形状を異にして形成され、
前記第１接続端子部材と前記第２接続端子部材が、それぞれの外部接続端子部を上方へと折曲した略Ｌ字状に形成し、前記プラグ基体部の前記第２側面と対向する内側縁に前記第１端子識別凹部と前記第２端子識別凹部に選択して嵌合される前記第１端子識別凸部又は前記第２端子識別凸部が一体に突設されることを特徴とする請求項２記載のレセプタクル型コネクタプラグ。
【請求項４】
前記第１接続端子部材が前記第２接続端子部材に対してやや長軸に形成され、前記ハウジング体に組み付けられた状態で前記レセプタクル接続端子部が前記レセプタクル嵌合部内において開口側に位置されることを特徴とする請求項１乃至請求項３のいずれか１項に記載のレセプタクル型コネクタプラグ。
【請求項５】
少なくとも一対の前記第１接続端子部材を備え、これら第１接続端子部材が多数個の前記第２接続端子部材の両側に位置して前記ハウジング体に組み付けられることを特徴とする請求項４記載のレセプタクル型コネクタプラグ。
【考案の詳細な説明】
【技術分野】
【０００１】
本考案は、例えば配線基板等に実装されるレセプタクルコネクタに着脱されて電子機器間の電気的接続を行うレセプタクル型コネクタプラグに関する。
【背景技術】
【０００２】
コネクタプラグとレセプタクルコネクタとを組み合わせるレセプタクル型コネクタは、一般にそれぞれがシールドケース内に相対して接続される多数個のコネクタピンを設けた高周波特性を有する小型薄型に構成される。レセプタクル型コネクタは、例えばレセプタクルコネクタが一方の電子機器に備えられた制御基板等に実装され、他方の電子機器から引き出したケーブルに設けたコネクタプラグを結合することにより電子機器間を接続して制御信号やデータ信号の授受或いは電源の供給等を行うようにする（例えば、特許文献１又は特許文献２を参照）。
【０００３】
レセプタクル型コネクタプラグは、絶縁樹脂材を素材としてブロック状に形成されたプラグ基体部にレセプタクルコネクタに嵌合されるレセプタクル嵌合部を一体に形成したハウジング体を備える。レセプタクル型コネクタプラグは、ハウジング体にプラグ基体部を貫通してレセプタクル嵌合部の内部空間に連通する多数の端子組付孔を長手方向に並んだ状態で形成し、各端子組付孔にそれぞれ接続端子部材を嵌挿して組み付ける。
【０００４】
レセプタクル型コネクタプラグは、上述したようにレセプタクルコネクタとの間において信号授受と給電とを行う機能を有することから、多数個の接続端子部材として信号用端子部材と給電用端子部材とが混在する。レセプタクル型コネクタプラグにおいては、レセプタクルコネクタと結合する際に給電回路を接続した状態で信号回路の接続が行われるようにして、誤動作の発生や過電流による電子部品の破損の発生等が防止されるように構成することが好ましい。
【０００５】
したがって、レセプタクル型コネクタプラグは、信号用端子部材に対して給電用端子部材を長軸に形成し、この給電用端子部材がレセプタクルコネクタ側のピン端子と先行して接続されるように構成される。レセプタクル型コネクタプラグにおいては、比較的小型の部材からなり、わずかに形状を異にする多数個の信号用端子部材と給電用端子部材とを、所定の端子組付孔に誤り無く組み付けなければならない。
【０００６】
一般的なコネクタにおいても、多数個の接続端子部材を備える場合に、端子組付孔に対する各接続端子部材の誤挿入防止が図られている（例えば特許文献３及び特許文献４を参照）。
【特許文献１】特開平１１−１１１３８９号公報
【特許文献２】特開２００５−２４３４７１号公報
【特許文献３】実開平６−４５２６９号公報
【特許文献４】特開２００６−７３２７１号公報
【考案の開示】
【考案が解決しようとする課題】
【０００７】
レセプタクル型コネクタプラグにおいては、上述したように信号用端子部材と給電用端子部材が、それぞれ長手方向に並んで形成された所定の端子組付孔に嵌挿して組み付けられる。レセプタクル型コネクタプラグにおいては、これら信号用端子部材と給電用端子部材が比較的小型であり長さをやや異にするもののほぼ同形に形成されることから、作業者が異なる端子組付孔に誤って組み付けてしまうといったことがしばしば生じていた。
【０００８】
レセプタクル型コネクタプラグにおいても、上述した特許文献３や特許文献４に開示された一般的なコネクタにおける接続端子部材の誤挿入防止構造を採用することが考慮される。しかしながら、レセプタクル型コネクタプラグは、小型かつ薄型に構成されるとともに各接続端子部材も薄厚の金属材料から形成されるために、厚み方向の力に対して変形が生じやすく、上述した特許文献に開示される誤挿入防止構造の採用が困難である。
【０００９】
したがって、本考案は、薄型小型化を維持して機能を異にする少なくとも２種類の接続端子部材が簡易な組立作業によって歩留りの向上を図ってハウジング体に精密に組み付けられることにより、低コスト化と信頼性の向上を図るレセプタクル型コネクタプラグを提供することを目的に提案されたものである。
【課題を解決するための手段】
【００１０】
上述した目的を達成する本考案にかかるレセプタクル型コネクタプラグは、絶縁樹脂材を素材として形成されたハウジング体と、このハウジング体に組み付けられる少なくとも２種類の第１接続端子部材と第２接続端子部材が混在する多数個の接続端子部材と、金属薄板材を素材として形成されたシールドケースを備え、電子機器に搭載された配線基板等に実装されるレセプタクルコネクタに結合される。レセプタクル型コネクタプラグは、ハウジング体が、ブロック状のプラグ基体部と、このプラグ基体部の第１側面から一体に突出形成された薄形略矩形筒状のレセプタクル嵌合部とから構成され、プラグ基体部の第２側面にそれぞれ開口してプラグ基体部を貫通してレセプタクル嵌合部の内部空間に連通する多数の端子組付孔が長手方向に並んだ状態で形成される。
【００１１】
レセプタクル型コネクタプラグは、各接続端子部材が、プラグ基体部の第２側面側の各開口から各端子組付孔内にそれぞれ嵌挿されてハウジング体に組み付けられる。レセプタクル型コネクタプラグは、各接続端子部材が、プラグ基体部の第２側面から突出される基端部が外部接続端子部を構成するとともに、レセプタクル嵌合部の内部空間内を挿通されてその開口部から突出される先端部がレセプタクル接続端子部を構成する。
【００１２】
レセプタクル型コネクタプラグは、シールドケースが、ハウジング体のレセプタクル嵌合部を略全域に亘り外装する全体薄形略矩形筒状に形成され、天井部に各接続端子部材のレセプタクル接続端子部を外方に臨ませる端子ガイド開口部が形成される。レセプタクル型コネクタプラグは、ハウジング体のプラグ基体部に、各端子組付孔に対して第１接続端子部材と第２接続端子部材を選択して嵌挿させる接続端子識別部が形成される。レセプタクル型コネクタプラグにおいては、形状をわずかに異にする小型の第１接続端子部材と第２接続端子部材とが接続端子識別部により所定の端子組付孔のみに嵌挿されることで、組立作業の簡易化と歩留りの向上が図られてハウジング体に精密に組み付けられ、低コスト化と信頼性の向上が図られる。
【００１３】
レセプタクル型コネクタプラグは、プラグ基体部に形成した接続端子識別部が、第１接続端子部材を嵌挿する端子組付孔と第２接続端子部材を嵌挿する各端子組付孔とに対応して異なる形状とされた第１端子識別凹部と第２端子識別凹部とから構成される。レセプタクル型コネクタプラグは、第１接続端子部材に第１端子識別凹部に嵌合可能な第１端子識別凸部が形成されるとともに、第２接続端子部材に第２端子識別凹部に嵌合可能な第２端子識別凸部が形成される。レセプタクル型コネクタプラグにおいては、第１端子識別凹部と第１端子識別凸部及び第２端子識別凹部と第２端子識別凸部とが合致することにより、第１接続端子部材と第２接続端子部材が所定の端子組付孔に選択されて嵌挿される。
【００１４】
レセプタクル型コネクタプラグは、第１端子識別凹部と第２端子識別凹部が、各端子組付孔の上方位置においてプラグ基体部の第２側面にそれぞれ形状を異にして形成される。
レセプタクル型コネクタプラグは、第１接続端子部材と第２接続端子部材が、それぞれの外部接続端子部を上方へと折曲した略Ｌ字状に形成し、プラグ基体部の第２側面と対向する内側縁に第１端子識別凹部と第２端子識別凹部に選択して嵌合される第１端子識別凸部又は第２端子識別凸部が一体に突設される。レセプタクル型コネクタプラグにおいては、第１接続端子部材や第２接続端子部材が誤った端子組付孔への誤嵌挿を防止されるとともに、誤った状態でなおも嵌挿しようと強く押し込んだ場合でも各接続端子部材に側縁方向からの力が作用されることで変形等の発生が抑制される。
【００１５】
レセプタクル型コネクタプラグは、第１接続端子部材が第２接続端子部材に対してやや長軸に形成され、ハウジング体に組み付けられた状態でそのレセプタクル接続端子部がレセプタクル嵌合部内において開口側に位置される。レセプタクル型コネクタプラグは、少なくとも一対の第１接続端子部材を備え、これら第１接続端子部材が多数個の第２接続端子部材の両側に位置してハウジング体に組み付けられる。レセプタクル型コネクタプラグにおいては、例えば第１接続端子部材を給電用接続端子部材とするとともに、第２接続端子部材を信号用接続端子部材として構成する。レセプタクル型コネクタプラグにおいては、レセプタクルコネクタに結合する際に、給電回路を接続した状態で信号回路の接続が行われることから誤動作の発生や過電流による電子部品の破損の発生等を防止する。
【考案の効果】
【００１６】
以上のように構成された本考案にかかるレセプタクル型コネクタプラグによれば、ハウジング体のプラグ基体部に、各端子組付孔に対して形状を異にする第１接続端子部材と第２接続端子部材を選択して嵌挿させる接続端子識別部を形成したことから、第１接続端子部材と第２接続端子部材を組立作業の簡易化と歩留りの向上を図ってハウジング体に組み付けることが可能となる。レセプタクル型コネクタプラグによれば、小型薄型の基本的構成を保持して低コスト化と信頼性の向上が図られる。
【考案を実施するための最良の形態】
【００１７】
以下、本考案の実施の形態として示すレセプタクル型コネクタプラグ（以下、単にコネクタプラグと略称する。）１について図面を参照して詳細に説明する。コネクタプラグ１は、従来のプラグと基本的な構成をほぼ同等とする小型薄型のプラグであり、図１乃至図４に示すように、ハウジング体２と、多数個の接続端子部材３と、シールドケース４とを備える。なお、コネクタプラグ１は、ハウジング体２が、例えば基体部と、接続端子部材３を組み付けた端子ブロック体とに分割して構成するようにしてもよい。
【００１８】
コネクタプラグ１は、例えば電子機器等から引き出された図示しないケーブルの先端に取り付けられ、図６及び図７に示すように相手側の電子機器等に搭載された配線基板５に実装されるレセプタクルコネクタ６に結合される。コネクタプラグ１は、後述するようにレセプタクルコネクタ６との間において制御信号やデータ信号等の信号授受機能及び電源を供給する給電機能を奏し、電子機器間において信号授受や電源供給を行う。
【００１９】
コネクタプラグ１は、ハウジング体２が、図１乃至図４に示すように絶縁樹脂材を素材としてプラグ基体部７とレセプタクル嵌合部８を一体に形成して構成する。ハウジング体２は、詳細を後述するように、プラグ基体部７が各接続端子部材３を片持ち状態で支持する端子支持部材とケーブルを接続するケーブル接続部材の機能を奏するとともに、レセプタクル嵌合部８がレセプタクルコネクタ６と結合するコネクタ結合部材の機能を奏する。
【００２０】
ハウジング体２は、図１乃至図４に示すように、プラグ基体部７が、略横長矩形の略ブロック状の本体部９と、この本体部９の長手方向の両側にやや大きな高さと厚みを有して一体に形成された取付部位１０Ａ、１０Ｂとから構成される。プラグ基体部７には、各取付部位１０の側面に位置決め用の位置決め凸部１１を一体に突設するとともに、詳細を省
略するがシールドケース４に一体に形成したアース端子片１２の先端部を突出させる。なお、ハウジング体２は、プラグ基体部７を、本体部９と、この本体部９を保持するホルダ部材として取付部位１０を別部材により形成するようにしてもよい。
【００２１】
プラグ基体部７は、図３及び図４に示すように本体部９の厚み方向の一方側面である第１側面１３側にレセプタクル嵌合部８を一体に突出形成するとともに、第１側面１３と対向する第２側面１４側に各接続端子部材３の基端部を突出させる。プラグ基体部７には、第１側面１３と第２側面１４とに貫通して本体部９に多数個の端子組付孔１５が形成される。端子組付孔１５は、それぞれが縦長矩形とされるとともに互いに隔離された状態で本体部９に長手方向に並んで形成され、後述するように接続端子部材３がそれぞれ嵌挿される。端子組付孔１５は、両側に位置して形成された一対の第１端子組付孔が後述するように給電端子組付孔１６Ａ、１６Ｂ（以下、個別に説明する場合を除いて給電端子組付孔１６と総称する。）を構成するとともに、これら給電端子組付孔１６に挟まれた多数個の第２端子組付孔が信号端子組付孔１７を構成する。
【００２２】
プラグ基体部７には、本体部９の第２側面１４に、各端子組付孔１５にそれぞれ対応する上方に位置して、端子識別部１８が形成される。端子識別部１８は、各給電端子組付孔１６に対応する一対の第１端子識別凹部１９Ａ、１９Ｂ（以下、個別に説明する場合を除いて第１端子識別凹部１９と総称する。）と、各信号端子組付孔１７に対応する多数個の第２端子識別凹部２０とからなる。端子識別部１８は、図３に示すように第１端子識別凹部１９が大きな開口形状と深さを以って形成されるとともに、各第２端子識別凹部２０が図４に示すようにこれら第１端子識別凹部１９よりも小さな開口形状と浅い深さを以って形成される。
【００２３】
レセプタクル嵌合部８は、プラグ基体部７の第１側面１３に、本体部９の幅寸法とほぼ等しい幅寸法を有しかつやや小さな高さ寸法を有する薄形の略矩形筒状部として一体に突設される。レセプタクル嵌合部８は、図３及び図４に示すように後述するシールドケース４やレセプタクルコネクタ６の軸長よりもやや短い長さに形成されている。レセプタクル嵌合部８には、その内部を貫通して上述した各端子組付孔１５にそれぞれ連通する端子ガイド孔２１が形成されている。各端子ガイド孔２１には、詳細を省略するがその内壁に嵌挿された接続端子部材３を保持する小さな保持凸部が適宜形成されている。レセプタクル嵌合部８は、天井部２２の先端部位が切り欠かれており、この切欠き部２２を介して各端子ガイド孔２１に嵌挿された各接続端子部材３の先端側を外方へと臨ませるようにする。
【００２４】
コネクタプラグ１は、上述したハウジング体２のプラグ基体部７に形成した端子組付孔１５に組み付けられる多数個の接続端子部材３を備える。コネクタプラグ１は、図２に示すように多数個の接続端子部材３がハウジング体２に対して、長手方向に並んで互いに絶縁を保持した状態で組み付けられる。接続端子部材３は、上述した給電端子組付孔１６にそれぞれ嵌挿されるプラス・マイナス一対の給電端子部材２３Ａ、２３Ｂ（以下、個別に説明する場合を除いて給電端子部材２３と総称する。）と、各信号端子組付孔１７にそれぞれ嵌挿される多数個の信号端子部材２４とが混在する。接続端子部材３は、これら給電端子部材２３と給電端子部材２４とが基本的な形状をほぼ同等とし、図３及び図４に示すように長さ寸法と上述した端子識別部１８に対応して形成された後述する端子識別部２５のみを異にして形成される。
【００２５】
給電端子部材２３は、図３に示すように上述した給電端子組付孔１６の開口形状とほぼ等しい断面形状を有しており、基端部が略Ｌ字状に折曲されてケーブルと接続される外部接続端子部、すなわち外部接続給電端子部２６を構成する。給電端子部材２３は、外部接続給電端子部２６の先端が本体部９の上面より突出する長さに形成されて電子機器等の電源回路と接続される。給電端子部材２３は、コネクタプラグ１がレセプタクルコネクタ６
に結合されることにより、電子機器間で電源の授受が行われるようにする。
【００２６】
給電端子部材２３には、プラグ基体部７に組み付けられた状態において第２側面１４と対向する外部接続給電端子部２６の内側縁に突設されて、端子識別部２５を構成する第１端子識別凸部２７が形成されている。第１端子識別凸部２７は、上述したプラグ基体部７側に形成した第１端子識別凹部１９に対応して形成され、その凹部形状とほぼ等しい外形を有する凸部形状に形成される。第１端子識別凸部２７は、給電端子部材２３をプラグ基体部７に組み付けた状態で、相対する第１端子識別凹部１９に嵌合することにより当該給電端子部材２３が正しい給電端子組付孔１６に組み付けられたことが識別されるようにする。
【００２７】
給電端子部材２３は、上述したプラグ基体部７の厚みとレセプタクル嵌合部８の長さよりも長軸に形成され、図３に示すようにプラグ基体部７に組み付けられた状態においてその先端部がレセプタクル嵌合部８の開口端から突出する。給電端子部材２３は、先端部がレセプタクルコネクタ６側の相対する給電コネクタ端子部材５４と接続されるレセプタクル接続端子部、すなわちレセプタクル接続給電端子部２８を構成する。
【００２８】
以上のように構成された給電端子部材２３は、レセプタクル接続給電端子部２８側を嵌挿端としてプラグ基体部７の第２側面１４側から相対する給電端子組付孔１６に嵌挿される。給電端子部材２３は、給電端子組付孔１６内に押し込まれてプラグ基体部７の本体部９を貫通し、さらに端子ガイド孔２１内を押し込まれてレセプタクル嵌合部８を貫通してその開口部からレセプタクル接続給電端子部２８が突出する。
【００２９】
給電端子部材２３は、給電端子組付孔１６に対して所定位置まで嵌挿されると、折曲された外部接続給電端子部２６がプラグ基体部７の第２側面１４に突き当たる。給電端子部材２３は、図３に示すように外部接続給電端子部２６に形成した第１端子識別凸部２７がプラグ基体部７側に形成した第１端子識別凹部１９に相対係合することにより、外部接続給電端子部２６がプラグ基体部７の第２側面１４に突き当たるまで嵌挿することが可能とされる。
【００３０】
給電端子部材２３は、誤って信号端子組付孔１７に嵌挿した場合に、外部接続給電端子部２６がプラグ基体部７の第２側面１４に突き当たる所定位置まで嵌挿されないことにより誤嵌挿が防止される。すなわち、給電端子部材２３は、図５（Ａ）に示すように信号端子組付孔１７に嵌挿されると、第１端子識別凸部２７がプラグ基体部７側に形成した第２端子識別凹部２０と相対することになる。
【００３１】
給電端子部材２３は、上述したように第１端子識別凸部２７と第２端子識別凹部２０とが形状を異にして形成されることにより、図５（Ａ）に示すように第１端子識別凸部２７が第２側面１４に乗り上がった状態となって外部接続給電端子部２６と第２側面１４との間に隙間が生じるようになる。給電端子部材２３においては、これにより嵌挿した端子組付孔１５が正規の給電端子組付孔１６ではないことを作業者に対して識別させるようにする。
【００３２】
信号端子部材２４も、給電端子部材２３と同様に、図４に示すように上述した信号端子組付孔１７の開口形状とほぼ等しい断面形状を有しており、基端部が略Ｌ字状に折曲されてケーブルと接続される外部接続端子部、すなわち外部接続信号端子部２９を構成する。信号端子部材２４も、外部接続信号端子部２９の先端が本体部９の上面より突出して、給電端子部材２３の外部接続給電端子部２６の先端とほぼ同一の高さ位置となる長さに形成されて電子機器等の信号回路と接続される。信号端子部材２４は、コネクタプラグ１がレセプタクルコネクタ６に結合されることにより、電子機器間で信号の授受が行われるよう
にする。
【００３３】
信号端子部材２４にも、プラグ基体部７に組み付けられた状態において第２側面１４と対向する外部接続信号端子部２９の内側縁に突設されて、端子識別部２５を構成する第２端子識別凸部３０が形成されている。第２端子識別凸部３０は、上述したプラグ基体部７側に形成した第２端子識別凹部２０に対応して形成され、その凹部形状とほぼ等しい外形を有する凸部形状に形成される。第２端子識別凸部３０は、信号端子部材２４をプラグ基体部７に組み付けた状態で、相対する第２端子識別凹部２０に嵌合することにより当該給電端子部材２３が正しい給電端子組付孔１６に組み付けられたことが識別されるようにする。
【００３４】
信号端子部材２４は、プラグ基体部７の厚みとレセプタクル嵌合部８の長さよりも長軸でありかつ図３に示すように給電端子部材２３よりもやや短く形成される。信号端子部材２４も、図４に示すようにプラグ基体部７に組み付けられた状態においてその先端部がレセプタクル嵌合部８の開口端から突出する。信号端子部材２４は、先端部がレセプタクルコネクタ６側の信号コネクタ端子部材５５と接続されるレセプタクル接続端子部、すなわちレセプタクル接続信号端子部３１を構成する。
【００３５】
以上のように構成された信号端子部材２４は、レセプタクル接続信号端子部３１側を嵌挿端としてプラグ基体部７の第２側面１４側から相対する信号端子組付孔１７に嵌挿される。信号端子部材２４も、信号端子組付孔１７内に押し込まれてプラグ基体部７の本体部９を貫通し、さらに端子ガイド孔２１内を押し込まれてレセプタクル嵌合部８を貫通してその開口部からレセプタクル接続信号端子部３１が突出する。
【００３６】
信号端子部材２４も、信号端子組付孔１７に対して所定位置まで嵌挿されると、折曲された外部接続信号端子部２９がプラグ基体部７の第２側面１４に突き当たる。信号端子部材２４は、図４に示すように外部接続信号端子部２９に形成した第２端子識別凸部３０がプラグ基体部７側に形成した第２端子識別凹部２０に相対係合することにより、外部接続信号端子部２９がプラグ基体部７の第２側面１４に突き当たるまで嵌挿することが可能とされる。
【００３７】
信号端子部材２４も、誤って給電端子組付孔１６に嵌挿した場合に、外部接続信号端子部２９がプラグ基体部７の第２側面１４に突き当たる所定位置まで嵌挿されないことにより誤嵌挿が防止される。すなわち、信号端子部材２４は、図５（Ｂ）に示すように給電端子組付孔１６に嵌挿されると、第２端子識別凸部３０がプラグ基体部７側に形成した第１端子識別凹部１９と相対することになる。
【００３８】
信号端子部材２４は、上述したように第１端子識別凹部１９が第２端子識別凹部２０とその形状と位置を異にして形成されることにより、図５（Ｂ）に示すように第２端子識別凸部３０が第２側面１４に乗り上がった状態となって外部接続信号端子部２９と第２側面１４との間に隙間が生じるようになる。信号端子部材２４においても、これにより嵌挿した端子組付孔１５が正規の信号端子組付孔１７ではないことを作業者に対して識別させるようにする。
【００３９】
各接続端子部材３は、上述したようにそれぞれの基端側をプラグ基体部７とレセプタクル嵌合部８とにより片持ち状態に支持されるとともに先端側がレセプタクル嵌合部８の開口端から突出されてハウジング体２に組み付けられる。各接続端子部材３は、コネクタプラグ１がレセプタクルコネクタ６と結合されることにより高さ方向にやや弾性変位しながらレセプタクルコネクタ６側のコネクタ端子部材４１との接続が行われる。各接続端子部材３は、弾性力によりコネクタ部材端子４１との接続状態が確実に保持されるとともに、
いわゆるセルフクリーニング作用を奏して接続部位を清浄な状態とする。
【００４０】
各接続端子部材３は、上述したように外部接続給電端子部２６と外部接続信号端子部２６のそれぞれの側縁部に第１端子識別凸部２７と第２端子識別凸部２９が形成される。各接続端子部材３には、誤った端子組付孔１５に嵌挿しようと強く押し込んだ場合に、外部接続給電端子部２６と外部接続信号端子部２６に対して作用される大きな反力に対する機械的剛性が確保されて変形等の発生が防止される。
【００４１】
シールドケース４は、金属薄板材を素材として、図１及び図３に示すように上述したハウジング体２のレセプタクル嵌合部８を略全域に亘って外装する全体が薄形略矩形筒状に形成される。シールドケース４は、レセプタクル嵌合部８の開口端から大きく突出する軸長を有しており、その基端部位がレセプタクル嵌合部８の外周部に対して例えばかしめ止め構造により固定されることによりハウジング体２と一体化される。
【００４２】
シールドケース４は、その内部空間がレセプタクル嵌合空間部３２として構成され、レセプタクル嵌合部８を外装した状態において上述した給電端子部材２３のレセプタクル接続給電端子部２８と信号端子部材２４のレセプタクル接続信号端子部３１を開口端の近傍に位置させるようにしてレセプタクル嵌合空間部３２内に長手方向に並んだ状態で収納する。シールドケース４には、その天井部３３に、図１に示すようにレセプタクル接続給電端子部２８とレセプタクル接続信号端子部３１を外方に臨ませる横長矩形の端子ガイド開口部３４が形成されている。シールドケース４は、後述するようにコネクタプラグ１がレセプタクルコネクタ６に結合された状態で、端子ガイド開口部３４を介してコネクタ端子部材４１をレセプタクル嵌合空間部３２内に進入させて接続端子部材３との接続が行われるようにする。
【００４３】
シールドケース４には、天井部３３に、端子ガイド開口部３４よりも基端側でかつ長手方向の両側に位置して一対の第１ロック開口部３５Ａ、３５Ｂ（以下、個別に説明する場合を除いて第１ロック開口部３５と総称する。）が形成される。第１ロック開口部３５は、詳細を省略するが、レセプタクル嵌合空間部３２内に長手方向に並んだ状態でレセプタクル嵌合部８に収納された接続端子部材３と対向されない側方に位置してそれぞれ形成された矩形の開口部からなる。
【００４４】
シールドケース４には、天井部３３に、各第１ロック開口部３５に対してそれぞれ内側でかつ端子ガイド開口部３４側、すなわち開口部側に先行した位置に一対の第２ロック開口部３６Ａ、３６Ｂ（以下、個別に説明する場合を除いて第２ロック開口部３６と総称する。）が形成されている。第２ロック開口部３６は、第１ロック開口部３５よりもやや小口径の矩形開口部からなる。
【００４５】
シールドケース４には、後述するようにコネクタプラグ１がレセプタクルコネクタ６に結合された状態で、上述した第１ロック開口部３５と第２ロック開口部３６にレセプタクルコネクタ６側に形成した第１プラグロック部５０及び第２プラグロック部５２がそれぞれ係合する。シールドケース４は、これによりコネクタプラグ１とレセプタクルコネクタ６が結合状態を確実に保持されるようにする。
【００４６】
コネクタプラグ１は、ハウジング体２のプラグ基体部７に多数個の接続端子部材３を組み付けるとともに、レセプタクル嵌合部８にシールドケース４が組み付けられる。コネクタプラグ１においては、プラグ基体部７に対して第２側面１４側から、給電端子部材２３が給電端子組付孔１６に嵌挿されるとともに信号端子部材２４が信号端子組付孔１７に嵌挿される。
【００４７】
コネクタプラグ１においては、上述したように第１端子識別凹部１９と第１端子識別凸部２７とが対応位置された状態においてのみ給電端子組付孔１６に給電端子部材２３を嵌挿することが可能であるとともに、第２端子識別凹部２０と第２端子識別凸部３０とが対応位置された状態においてのみ信号端子組付孔１７に信号端子部材２４を嵌挿することが可能である。したがって、コネクタプラグ１においては、形状をわずかに異にする給電端子部材２３と信号端子部材２４とが、誤嵌挿することなく所定の端子組付孔１５に嵌挿してハウジング体２に正確に組み付けられる。
【００４８】
コネクタプラグ１においては、各端子組付孔１５に嵌挿されることにより各接続端子部材３がプラグ基体部７に片持ち状態で支持され、それぞれの先端部をレセプタクル嵌合部８の先端開口部から突出させる。コネクタプラグ１においては、レセプタクル嵌合部８の先端側からシールドケース４を組み付けることにより、レセプタクル嵌合空間部３２内において各接続端子部材３がその開口部近傍において長手方向に並んだ状態に保持される。コネクタプラグ１においては、レセプタクル嵌合空間部３２内においてその開口部に対して、給電端子部材２３のレセプタクル接続給電端子部２８が信号端子部材２４のレセプタクル接続信号接続部３１に先行位置する。
【００４９】
以上のように構成されたコネクタプラグ１は、配線基板５に実装されたレセプタクルコネクタ６に結合される。レセプタクルコネクタ６は、基本的な構成を従来のレセプタクルコネクタと同様とし、図６及び図７に示すように、コネクタブロック体４０と、このコネクタブロック体４０に組み付けられた多数個のコネクタ端子部材４１と、コネクタブロック体４０を収納するシールドケース４２を備える。
【００５０】
レセプタクルコネクタ６は、コネクタブロック体４０が、絶縁樹脂材を素材として横長矩形で上述したコネクタプラグ１側のシールドケース４とほぼ同等の断面寸法を有するブロック状に形成された基部４３と、この基部４３の一方側面に一体に突設された水平方向のコネクタ端子保持壁部４４とから構成される。コネクタブロック体４０は、コネクタ端子保持壁部４４が、基部４３の上面から所定の高さ位置に段落ちされて突設されるとともに、その横幅（長手方向の幅）が、基部４３の横幅よりも小幅とされて形成される。
【００５１】
コネクタブロック体４０には、基部４３の底面に、長手方向に離間して一対の位置決め凸部４５が一体に突設され、これら位置決め凸部４５を配線基板５に形成した相対する位置決め孔に嵌合することによりレセプタクルコネクタ６が配線基板５に位置決めされて組み付けられるようにする。コネクタブロック体４０には、多数本のコネクタ端子部材４１が一体化されて設けられている。
【００５２】
各コネクタ端子部材４１は、コネクタブロック体４０のコネクタ端子保持壁部４４に、互いに軸線方向に平行な状態でありかつ相互の絶縁を保持して長さ方向に並べた状態で埋設されることにより一体化される。各コネクタ端子部材４１は、それぞれの底面側がコネクタ端子保持壁部４４から露出されることにより、コネクタプラグ１側の相対する接続端子部材３との接触部を構成する。各コネクタ端子部材４１は、基端側がコネクタブロック体４０の基部４３を厚み方向に貫通されるとともに、この基部４３の側面に沿って略Ｌ字状に折曲されることにより接続端子部４６を構成する。各コネクタ端子部材４１は、レセプタクルコネクタ６を配線基板５に実装した状態で、各接続端子部４６が配線基板５に相対して形成した端子パターンと半田付けされる。
【００５３】
シールドケース４２は、金属薄板材を素材として上述したコネクタブロック体４０の全体を覆うようにして内部に収納する全体略矩形の半筒状に形成される。シールドケース４２は、コネクタブロック体４０の基部４３の断面寸法とほぼ同等の開口寸法を有する半筒状に形成される。なお、シールドケース４２は、半矩形筒状の形状に限定されず、例えば
コネクタブロック体４０の基部４３の断面形状とほぼ同形の矩形筒状に形成するようにしてもよい。
【００５４】
シールドケース４２は、コネクタブロック体４０のコネクタ端子保持壁部４４の軸長よりも大きな軸長の内部空間を有し、この内部空間が後述するようにコネクタプラグ１が嵌合されるプラグ嵌合空間部４７を構成する。シールドケース４２は、その一方開口部が、プラグ嵌合開口部４８を構成してプラグ嵌合空間部４７内にコネクタプラグ１が嵌合されるようにする。シールドケース４２は、プラグ嵌合開口部４８を介してコネクタ端子保持壁部４４に一体化した各コネクタ端子部材４１の先端部を外方に臨ませるようにする。
【００５５】
シールドケース４２は、その他方開口部が基部４３により閉塞されるようにして上述したコネクタブロック体４０をプラグ嵌合空間部４７内に収納する。シールドケース４２は、この開口部から各コネクタ端子部材４１の接続端子部４６をそれぞれ外方へと突出させることにより、この開口部をコネクタピン突出開口部として構成する。
【００５６】
シールドケース４２は、上述したようにコネクタブロック体４０が基部４３に対してコネクタ端子保持壁部４４を小幅に形成したことにより、このコネクタブロック体４０をプラグ嵌合空間部４７内に収納した状態においてコネクタ端子保持壁部４４の両側縁部に沿ってコネクタブロック体４０との非対向部位を構成する。また、シールドケース４２は、上述したようにコンタクトブロック体４０が基部４３の側面に天井面から段落ちした状態でコネクタ端子保持壁部４４を一体に形成したことから、コンタクトブロック体４０をプラグ嵌合空間部４７内に収納した状態において天井部４９とコネクタ端子保持壁部４４との間に軸方向の水平なプラグガイド空間部を構成する。
【００５７】
シールドケース４２には、天井部４９の上述した非対向部位と対向する位置に、長手方向に離間してプラグ嵌合空間部４７内に嵌合されたコネクタプラグ１をロック状態に保持する一対の第１プラグロック部５０Ａ、５０Ｂ（以下、個別に説明する場合を除いて第１プラグロック部５０と総称する。）が一体に形成される。第１プラグロック部５０は、上述したようにコネクタプラグ１側のシールドケース４に形成した第１ロック開口部３５に対応して形成される。
【００５８】
第１プラグロック部５０は、図６及び図７に示すように天井部４９に、プラグ嵌合開口部４８側からコネクタピン突出開口部側に向かう向きの略コ字状の切欠きを形成し、この切欠きによってコネクタピン突出開口部側を基端とする軸線方向の切り残し舌片部からなる一対の第１プラグロック片５１Ａ、５１Ｂ（以下、個別に説明する場合を除いて第１プラグロック片５１と総称する。）を構成する。第１プラグロック部５０は、第１プラグロック片５１がその先端部位を上述したプラグ嵌合空間部４７のコネクタブロック体４０が存在しない非対向部位内に突出するように略へ字状に折曲することにより、ロック凸部を形成する。
【００５９】
第１プラグロック部５０は、シールドケース４２の天井部４９のコネクタブロック体４０と対向しない非対向部位１４に対応位置して形成されることから、大きな曲げ量のロック凸部を形成することが可能である。第１プラグロック部５０は、プラグ嵌合空間部４７内にコネクタプラグ１が嵌合された状態でロック凸部が第１ロック開口部３５に係合することにより、コネクタプラグ１を保持する。
【００６０】
シールドケース４２には、天井部４９に、上述した第１プラグロック部５０の内側に位置し、上述したようにコネクタプラグ１側のシールドケース４に形成した第２ロック開口部３６に対応して一対の第２プラグロック部第２プラグロック部５２Ａ、５２Ｂ（以下、個別に説明する場合を除いて第２プラグロック部５２と総称する。）が形成される。第２
プラグロック部５２も、天井部４９に、プラグ嵌合開口部４８側からコネクタピン突出開口部側に向かう向きの略コ字状の切欠きを形成し、この切欠きによってコネクタピン突出開口部側を基端とする軸線方向の切り残し舌片部からなる一対の第２プラグロック片５３Ａ、５３Ｂ（以下、個別に説明する場合を除いて第２プラグロック片５３と総称する。）を構成する。
【００６１】
第２プラグロック部５２は、第２プラグロック片５３の先端部が、第１プラグロック部５０の第１プラグロック片５１に対して、プラグ嵌合開口部４８側に先行した位置とされるようにしてシールドケース４２の天井部４９に形成される。第２プラグロック部５２は、第２プラグロック片５３が第１プラグロック片５１に対して小幅に形成されるとともに、これら第２プラグロック片５３がプラグ嵌合空間部４７のコネクタブロック体４０が存在する領域に形成されるために曲げ量も小さく、コネクタプラグ１が軽微な力で接触されるようにする。第２プラグロック部５２は、プラグ嵌合空間部４７内にコネクタプラグ１が結合される際に、このコネクタプラグ１に対して第１プラグロック片５１に先行して接触する。
【００６２】
レセプタクルコネクタ６は、上述したようにコネクタブロック体４０に組み付けられ、結合されるコネクタプラグ１の接続端子部材３とそれぞれ対応する多数個のコネクタ端子部材４１を備える。各コネクタ端子部材４１は、コネクタ端子保持壁部４４に長手方向に並んで互いに絶縁を保持されて組み付けられ、両側に配置された一対のコネクタ端子がそれぞれ給電コネクタ端子部材５４Ａ、５４Ｂ（以下、個別に説明する場合を除いて給電コネクタ端子部材５４と総称する。）を構成する。給電コネクタ端子部材５４は、レセプタクルコネクタ６に結合されるコネクタプラグ１側の給電端子部材２３とそれぞれ接続される。
【００６３】
レセプタクルコネクタ６は、給電コネクタ端子部材５４に挟まれた多数個のコネクタ端子部材がそれぞれ信号コネクタ端子部材５５を構成する。信号コネクタ端子部材５５は、レセプタクルコネクタ６に結合されるコネクタプラグ１側の相対する信号端子部材２４とそれぞれ接続される。
【００６４】
以上のように構成されたレセプタクルコネクタ６は、上述したように位置決め凸部４５を位置決め孔に嵌合して配線基板５上に搭載される。レセプタクルコネクタ６は、各コネクタ端子部材４１の接続端子部４６が配線基板５に形成した相対する端子パターンと半田付けされる。レセプタクルコネクタ６には、プラグ嵌合開口部４８からプラグ嵌合空間部４７内にコネクタプラグ１が嵌合される。
【００６５】
コネクタプラグ１は、シールドケース４を外装したハウジング体２のレセプタクル嵌合部８を嵌合側として、このレセプタクル嵌合部８をプラグ嵌合開口部４８に嵌合してプラグ嵌合空間部４７内に押し込むことにより図６及び図７に示すようにレセプタクルコネクタ６に結合される。コネクタプラグ１は、結合状態において、ハウジング体２のプラグ基体部７とレセプタクル嵌合部８の基端側がプラグ嵌合開口部４８から突出する。
【００６６】
コネクタプラグ１は、レセプタクルコネクタ６のプラグ嵌合空間部４７内にレセプタクル嵌合部８を押込み操作されることにより、上述したようにシールドケース４２とコンタクト端子保持壁部４４との間に構成したプラグガイド空間部内にシールドケース４の天井部２２を嵌合させて押し込ませる。コネクタプラグ１は、レセプタクルコネクタ６側のプラグ嵌合空間部４７内に突出する第１プラグロック部５０の第１プラグロック片５１が、押込み操作にしたがって天井部２２の上面へと乗り上がって弾性力を蓄勢するとともに所定位置まで押し込まれると蓄勢した弾性力により相対する第１ロック開口部３５に係合される。
【００６７】
コネクタプラグ１は、レセプタクルコネクタ６側に設けられた長手方向の両側に位置してプラグ嵌合空間部４７内に大きな突出量を以って突出する第１プラグロック片５１を有する第１プラグロック部５０により、シールドケース４の天井部２２を押圧されながら押し込み操作される。したがって、コネクタプラグ１は、安定した姿勢でレセプタクルコネクタ６に嵌挿されることから、接続端子部材３やコネクタ端子部材４１にねじれ等を生じさせることなく結合される。
【００６８】
レセプタクルコネクタ６においては、シールドケース４２のコネクタブロック体４０と対向しない非対向部位に位置して第１プラグロック部５０を設けたことにより、全体を薄型に構成した場合でもこの第１プラグロック部５０に大きな曲げ量のロック凸部を有する第１プラグロック片５１を形成することが可能となる。したがって、レセプタクルコネクタ６においては、薄型化を図りながら第１プラグロック部５０からコネクタプラグ１に対して大きなロック力を作用させ、プラグ嵌合空間部４７内に嵌挿されたコネクタプラグ１を確実に保持することが可能であるとともに嵌合姿勢を安定した状態で保持し、信頼性の向上が図られる。
【００６９】
レセプタクルコネクタ６においては、上述したように第１プラグロック部５０に対してプラグ嵌合開口部４８側に位置して第２プラグロック部５２が形成される。レセプタクルコネクタ６においては、嵌挿されるコネクタプラグ１に対して、上述した第１プラグロック部５０の第１ロック開口部３５との係合動作に先行して第２プラグロック部５２の第２ロック開口部３６の係合動作が行われる。レセプタクルコネクタ６においては、第２ロック開口部３６内に係合した第２プラグロック片５３がコネクタプラグ１側のシールドケース４と適宜接触する。
【００７０】
したがって、レセプタクルコネクタ６及びコネクタプラグ１には、高圧の静電気が帯電していることがあり、この静電気がコネクタ端子部材４１と接続端子部材３との接続により配線基板５等の回路に流れて搭載した電子部品等を破壊させてしまうことがある。レセプタクルコネクタ６においては、上述したように第１プラグロック部５０の係合動作に先行して第２プラグロック部５２の係合動作が行われることで、帯電した高圧の静電気がシールドケース４のアース端子片１２を介して除電されることで、電子部品等の破壊が防止される。
【００７１】
なお、コネクタプラグ１においては、上述したようにレセプタクルコネクタ６との間において制御信号やデータ信号等の信号授受機能と電源を供給する給電機能を奏するようにしたが、かかる２つの機能ばかりでなく例えばグランド接続を行うグランド端子部材或いは他の異なる機能の接続端子部材を設けるようにしてもよい。コネクタプラグ１においては、これら各接続端子部材がレセプタクルコネクタ６との間で互いに異なる状態で接続が行われる場合に、ハウジング体２や接続端子部材３にそれぞれ異なる端子識別部が形成される。
【図面の簡単な説明】
【００７２】
【図１】本考案の実施の形態として示すコネクタプラグの要部斜視図である。
【図２】同コネクタプラグの正面図である。
【図３】同コネクタプラグの図２におけるａ−ａ線の断面図である。
【図４】同コネクタプラグの図２におけるｂ−ｂ線の断面図である。
【図５】同図（Ａ）は給電端子部材を信号端子組付孔に誤嵌挿した際の識別動作の説明図であり、同図（Ｂ）は信号端子部材を給電端子組付孔に誤嵌挿した際の識別動作の説明図である。
【図６】コネクタプラグをレセプタクルコネクタに結合した状態の斜視図である。
【図７】同断面図である。
【符号の説明】
【００７３】
１      コネクタプラグ
２      ハウジング体
３      接続端子部材
４      シールドケース
５      配線基板
６      レセプタクルコネクタ
７      プラグ基体部
８      レセプタクル嵌合部
９      本体部
１０    取付部
１１    位置決め凸部
１３    第１側面
１４    第２側面
１５    端子組付孔
１６    給電端子組付孔
１７    信号端子組付孔
１８    端子識別部
１９    第１端子識別凹部
２０    第２端子識別凹部
２１    端子ガイド孔
２２    天井部
２３    給電端子部材
２４    信号端子部材
２５    端子識別部
２６    外部接続給電端子部
２７    第１端子識別凸部
２８    レセプタクル接続給電端子部
２９    外部接続信号端子部
３０    第２端子識別凸部
３１    レセプタクル接続信号端子部
３２    レセプタクル嵌合空間部
３３    天井部
３４    端子ガイド開口部
３５    第１ロック開口部
３６    第２ロック開口部
４０    コネクタブロック体
４１    コネクタ端子部材
４２    シールドケース
４４    コネクタ端子保持壁部
４６    接続端子部
４７    プラグ嵌合空間部
４８    プラグ嵌合開口部
５０    第１プラグロック部
５１    第１プラグロック片
５２    第２プラグロック部
５３    第２プラグロック片
５４    給電コネクタ端子部材
５５    信号コネクタ端子部材
【図１】
0003126066.tif 000003
【図２】
0003126066.tif 000004
【図３】
0003126066.tif 000005
【図４】
0003126066.tif 000006
【図５】
0003126066.tif 000007
【図６】
0003126066.tif 000008
【図７】
0003126066.tif 000009